(57)【要約】      （修正有）【課題】複数のフィンを含む光学素子を軽量化して回転装置の負荷を低減するとともに、光学素子を効率良く冷却できる光源装置及びプロジェクターを提供する。【解決手段】照明装置は、光源と、光源から出射された光が入射される波長変換素子５２と、波長変換素子を回転させる回転装置５４と、波長変換素子に設けられ、波長変換素子と共に回転される放熱部材７と、を備え、放熱部材は、複数のフィン７２を有し、複数のフィンのそれぞれは、光学素子から離れる方向に立設する立設部７２１と、立設部を光学素子に固定する固定部７２２と、を有する。【選択図】図３
2018004668.tif 000002
【特許請求の範囲】
【請求項１】
光源と、
前記光源から出射された光が入射される光学素子と、
前記光学素子を回転させる回転装置と、
前記光学素子に設けられ、前記光学素子と共に回転される放熱部材と、を備え、
前記放熱部材は、複数のフィンを有し、
前記複数のフィンのそれぞれは、前記光学素子から離れる方向に立設する立設部と、前記立設部を前記光学素子に固定する固定部と、を有することを特徴とする光源装置。
【請求項２】
請求項１に記載の光源装置において、
前記放熱部材は、前記複数のフィンのそれぞれの前記立設部が接続され、前記光学素子に当接される伝熱部を有することを特徴とする光源装置。
【請求項３】
請求項２に記載の光源装置において、
前記回転装置は、前記光学素子において前記光が入射される第一面に交差する回転軸を中心に、前記光学素子を回転させ、
前記伝熱部は、前記第一面と、前記光学素子において前記第一面とは反対側に位置する第二面とのいずれかに当接し、
前記立設部は、前記回転軸から離れる方向に沿って延出し、前記回転軸側において前記伝熱部と接続され、前記回転軸と反対側において前記固定部と接続されていることを特徴とする光源装置。
【請求項４】
請求項２又は請求項３に記載の光源装置において、
前記伝熱部及び前記固定部の少なくとも一方は、前記光源から出射された光が入射される位置と重なる位置に配置されることを特徴とする光源装置。
【請求項５】
請求項１から請求項４のいずれか一項に記載の光源装置において、
前記複数のフィンのそれぞれの前記立設部は、前記回転装置による前記光学素子の回転軸から離れるに従って前記光学素子の回転方向とは反対方向に反る形状を有することを特徴とする光源装置。
【請求項６】
請求項１から請求項５のいずれか一項に記載の光源装置において、
前記立設部は、前記立設部の延出方向に対して傾斜する方向に前記立設部から屈曲する屈曲部を有することを特徴とする光源装置。
【請求項７】
請求項１から請求項６のいずれか一項に記載の光源装置において、
前記立設部は、凹部及び凸部の少なくともいずれかを複数有することを特徴とする光源装置。
【請求項８】
請求項１から請求項７のいずれか一項に記載の光源装置において、
前記立設部は、複数の孔部を有することを特徴とする光源装置。
【請求項９】
請求項１から請求項８のいずれか一項に記載の光源装置と、
前記光源装置から出射された光を変調する光変調装置と、
前記光変調装置にて変調された光を投射する投射光学装置と、を備えることを特徴とするプロジェクター。
【発明の詳細な説明】
【技術分野】
【０００１】
本発明は、光源装置及びプロジェクターに関する。
【背景技術】
【０００２】
従来、光源装置から発された光を変調し、変調された光をスクリーン等の被投射面上に投射する投射型表示装置（プロジェクター）が知られている。このようなプロジェクターに採用される光源装置として、励起光を発する半導体レーザ（光源）と、当該励起光が入射されて蛍光を出射する蛍光体層が設けられた円板状の基材を含む反射型カラーホイールと、当該反射型カラーホイールを回転させる回転機構（回転装置）と、を備えた光源装置が知られている（例えば、特許文献１参照）。
【０００３】
この特許文献１に記載の光源装置は、反射型カラーホイールの基材にフィンが一体的に形成されている。このような構成では、反射型カラーホイールが回転装置によって回転された際に、フィンが放熱部として機能することにより、反射型カラーホイールが冷却される。
【先行技術文献】
【特許文献】
【０００４】
【特許文献１】特開２０１２−１３８９７号公報
【発明の概要】
【発明が解決しようとする課題】
【０００５】
ところで、上記特許文献１に記載の光源装置が有する基材（複数のフィンが一体的に形成された基材）は、例えば、アルミニウム等の金属材料を切削することによって製造される。このような製造方法では、反射型カラーホイール基材の重量が大きくなることから、例えば回転装置の回転速度を増大させて、反射型カラーホイール等の光学素子の冷却効率を向上させようとすると、回転装置の負荷が増大するという課題があった。
【０００６】
本発明は、上記課題の少なくとも一部を解決することを目的としたものであり、複数のフィンを含む光学素子を軽量化して回転装置の負荷を低減するとともに、光学素子を効率良く冷却できる光源装置及びプロジェクターを提供することを目的の１つとする。
【課題を解決するための手段】
【０００７】
本発明の第１態様に係る光源装置は、光源と、前記光源から出射された光が入射される光学素子と、前記光学素子を回転させる回転装置と、前記光学素子に設けられ、前記光学素子と共に回転される放熱部材と、を備え、前記放熱部材は、複数のフィンを有し、前記複数のフィンのそれぞれは、前記光学素子から離れる方向に立設する立設部と、前記立設部を前記光学素子に固定する固定部と、を有することを特徴とする。
【０００８】
上記第１態様によれば、回転装置によって光学素子と共に回転する放熱部材は、複数のフィンを有する。これら複数のフィンのそれぞれは、立設部と、当該立設部を光学素子に固定する固定部とを有し、各フィンは固定部によって光学素子に固定されている。このように、複数のフィンのそれぞれが、立設部と固定部とを含む簡易な構成を有する。このため、例えば、曲げ加工により金属板に立設部と固定部とを形成したり、立設部に対して固定部を接合したりすることにより、放熱部材を形成することができる。従って、放熱部材を製造する際に、従来のように金属材料を切削して、光学素子に複数のフィンを一体的に形成する場合と比べて、上述の製造コストの増大を抑制できる。そして、このような放熱部材を光学素子に固定することにより、当該光学素子の放熱構造を簡易に構成できる。
更に、このような放熱部材が設けられた光学素子は、切削等によって複数のフィンを形成した光学素子より軽量化できる。このため、当該光学素子を回転させる回転装置に加わる負荷を軽減するとともに、光学素子を効率良く冷却できる。
【０００９】
上記第１態様では、前記放熱部材は、前記複数のフィンのそれぞれの前記立設部が接続され、前記光学素子に当接される伝熱部を有することが好ましい。
このような構成によれば、放熱部材は、それぞれ立設部及び固定部を有する複数のフィンと伝熱部とを含み一体的に構成される。このため、放熱部材を光学素子に固定する際に、各フィンにおける固定部側とは反対側の部位を個別に固定する作業を行う必要がない。従って、光学素子への放熱部材の取付工程を簡略化できる。
また、伝熱部を有することにより、光学素子の熱を放熱部材に伝えやすくすることができ、光学素子の冷却効率を向上させることができる。
【００１０】
上記第１態様では、前記回転装置は、前記光学素子において前記光が入射される第一面に交差する回転軸を中心に、前記光学素子を回転させ、前記伝熱部は、前記第一面と、前記光学素子において前記第一面とは反対側に位置する第二面とのいずれかに当接し、前記立設部は、前記回転軸から離れる方向に沿って延出し、前記回転軸側において前記伝熱部と接続され、前記回転軸と反対側において前記固定部と接続されていることが好ましい。
このような構成によれば、立設部は、一端側にて伝熱部と接続され、他端側にて固定部と接続されている。このため、各フィンを光学素子に強固に固定できる。従って、光学素子が回転し、立設部に空気抵抗による応力が加わった場合でも、立設部の変形、すなわちフィンの変形を抑制できる。
【００１１】
上記第１態様では、前記伝熱部及び前記固定部の少なくとも一方は、前記光源から出射された光が入射される位置と重なる位置に配置されることが好ましい。
このような構成では、光の入射によって光学素子に生じた熱を、伝熱部及び固定部の少なくとも一方から立設部に効率良く伝導させることができ、光学素子の冷却効率を向上させることができる。
【００１２】
上記第１態様では、前記複数のフィンのそれぞれの前記立設部は、前記回転装置による前記光学素子の回転軸から離れるに従って前記光学素子の回転方向とは反対方向に反る形状を有することが好ましい。
このような構成によれば、複数のフィンのそれぞれが、上記形状を有することにより、フィン間の冷却気体を、回転される光学素子の外縁側に排出しやすくすることができる。従って、フィンを冷却して熱を帯びた冷却気体がフィン間に停滞することを抑制でき、ひいては、光学素子を効率良く冷却できる。
【００１３】
上記第１態様では、前記立設部は、前記立設部の延出方向に対して傾斜する方向に前記立設部から屈曲する屈曲部を有することが好ましい。
このような構成によれば、複数のフィンのそれぞれは、立設部に対して傾斜する屈曲部を有するため、光学素子が回転された際に、フィンに接触する冷却気体の量（接触量）を増大させることができる。従って、光学素子からの熱が伝導されるフィン、ひいては、当該光学素子を効率良く冷却できる。
また、複数のフィンが、回転軸を囲むように、例えば放射状に配置されている場合、屈曲部は、回転方向に隣り合うフィンの間に形成された冷却気体の流路に向かって屈曲することとなる。このため、フィンの冷却気体と接触量を増大させることができ、冷却効率を向上させることができる。また、この場合、屈曲部によってフィン間の距離つまり冷却気体の流路が狭くなるため、冷却気体の流速を増大させることができ、冷却効率を向上させることができる。
【００１４】
上記第１態様では、前記立設部は、凹部及び凸部の少なくともいずれかを複数有することが好ましい。
このような構成によれば、凹部及び凸部の少なくともいずれかにより、フィンにおける冷却気体との接触面積を増大させることができ、各フィン、ひいては、光学素子を効率良く冷却することができる。
【００１５】
上記第１態様では、前記立設部は、複数の孔部を有することが好ましい。
このような構成によれば、複数の孔部の端縁により、フィンにおける冷却気体との接触面積を増大させることができ、各フィン、ひいては、光学素子を効率良く冷却することができる。
【００１６】
本発明の第２態様に係るプロジェクターは、上記光源装置と、前記光源装置から出射された光を変調する光変調装置と、前記光変調装置にて変調された光を投射する投射光学装置と、を備えることを特徴とする。
上記第２態様によれば、上記第１態様に係る波長変換装置と同様の効果を奏することができる。
【図面の簡単な説明】
【００１７】
【図１】本発明の第１実施形態に係るプロジェクターの構成を示す模式図。
【図２】上記第１実施形態における照明装置の構成を示す模式図。
【図３】上記第１実施形態における波長変換装置の要部を示す斜視図。
【図４】上記第１実施形態における波長変換装置の要部を示す分解斜視図。
【図５】上記第１実施形態における放熱部材を示す平面図。
【図６】上記第１実施形態の変形例における波長変換装置の要部を示す斜視図。
【図７】本発明の第２実施形態に係るプロジェクターが備える波長変換装置の要部を示す斜視図。
【図８】上記第２実施形態における波長変換装置が備える放熱部材を示す斜視図。
【図９】本発明の第３実施形態に係る波長変換装置が備える放熱部材を示す斜視図。
【図１０】本発明の第４実施形態に係る波長変換装置が備える放熱部材を示す斜視図。
【発明を実施するための形態】
【００１８】
［第１実施形態］
以下、本発明の第１実施形態について、図面に基づいて説明する。
［プロジェクターの概略構成］
図１は、本実施形態に係るプロジェクター１の構成を示す模式図である。
本実施形態に係るプロジェクター１は、後述する照明装置３１から出射される光を変調して画像情報に応じた画像を形成し、当該画像をスクリーン等の被投射面ＰＳ上に拡大投射する投射型表示装置である。このプロジェクター１は、図１に示すように、外装を構成する外装筐体２と、当該外装筐体２内に収容される画像投射装置３と、を備える。この他、図示を省略するが、プロジェクター１は、当該プロジェクター１を制御する制御装置、光学部品等の冷却対象を冷却する冷却装置、及び、電子部品に電力を供給する電源装置を備える。
このプロジェクター１は、詳しくは後述するが、照明装置３１を構成する波長変換装置５が、波長変換素子５２と、当該波長変換素子５２に固定されて当該波長変換素子５２から伝導された熱を放熱する放熱部材７と、を備えることを特徴の１つとしている。
以下、プロジェクター１の構成について説明する。
【００１９】
［画像投射装置の構成］
画像投射装置３は、上記画像を形成及び投射するものであり、図示しない光学部品用筐体に組み込まれることにより一体化されている。このような画像投射装置３は、照明装置３１、色分離装置３２、平行化レンズ３３、光変調装置３４、色合成装置３５及び投射光学装置３６を備える。
これらのうち、照明装置３１は、照明光ＷＬを出射する。なお、照明装置３１の構成については、後に詳述する。
【００２０】
色分離装置３２は、照明装置３１から入射される照明光ＷＬを赤色光ＬＲ、緑色光ＬＧ及び青色光ＬＢに分離する。この色分離装置３２は、ダイクロイックミラー３２１，３２２と、反射ミラー３２３，３２４，３２５と、リレーレンズ３２６，３２７とを備える。
ダイクロイックミラー３２１は、上記照明光ＷＬから青色光ＬＢと他の色光（緑色光ＬＧ及び赤色光ＬＲ）とを分離する。分離された青色光ＬＢは、反射ミラー３２３によって反射されて、平行化レンズ３３（３３Ｂ）に導かれる。
ダイクロイックミラー３２２は、分離された上記他の色光から緑色光ＬＧと赤色光ＬＲとを分離する。分離された緑色光ＬＧは、平行化レンズ３３（３３Ｇ）に導かれる。また、分離された赤色光ＬＲは、リレーレンズ３２６、反射ミラー３２４、リレーレンズ３２７及び反射ミラー３２５を介して、平行化レンズ３３（３３Ｒ）に導かれる。
なお、平行化レンズ３３（赤、緑及び青の各色光用の平行化レンズを、それぞれ３３Ｒ，３３Ｇ，３３Ｂとする）は、入射される光を平行化する。
【００２１】
光変調装置３４（赤、緑及び青の各色光用の光変調装置を、それぞれ３４Ｒ，３４Ｇ，３４Ｂとする）は、それぞれ入射される上記色光ＬＲ，ＬＧ，ＬＢを変調して、画像情報に応じた画像光（それぞれ色光ＬＲ，ＬＧ，ＬＢによる画像光）を形成する。これら光変調装置３４のそれぞれは、例えば、入射される光を変調する液晶パネルと、当該液晶パネルの入射側及び出射側に配置される一対の偏光板と、を備えて構成される。
【００２２】
色合成装置３５は、各光変調装置３４Ｒ，３４Ｇ，３４Ｂから入射される各画像光を合成する。このような色合成装置３５は、本実施形態では、クロスダイクロイックプリズムにより構成されているが、複数のダイクロイックミラーを組み合わせることによっても構成可能である。
投射光学装置３６は、色合成装置３５にて合成された画像光を上記被投射面ＰＳに拡大投射する。このような投射光学装置３６として、例えば、鏡筒と、当該鏡筒内に配置される複数のレンズとにより構成される組レンズを採用できる。
【００２３】
［照明装置の構成］
図２は、照明装置３１の構成を示す模式図である。
照明装置３１は、上記のように、白色の照明光ＷＬを色分離装置３２に向けて出射する。この照明装置３１は、図２に示すように、光源装置４及び均一化装置６を有する。
【００２４】
［光源装置の構成］
光源装置４は、均一化装置６に照明光ＷＬを出射する。この光源装置４は、光源部４１、アフォーカル光学系４２、ホモジナイザー光学系４３、第１位相差板４４、光分離装置４５、第２位相差板４６、第１ピックアップレンズ４７、拡散装置４８、第２ピックアップレンズ４９及び波長変換装置５を備える。
これらのうち、光源部４１、アフォーカル光学系４２、ホモジナイザー光学系４３、第１位相差板４４、第２位相差板４６、第１ピックアップレンズ４７及び拡散装置４８は、第１照明光軸Ａｘ１上に配置されている。また、第２ピックアップレンズ４９及び波長変換装置５と、均一化装置６とは、当該第１照明光軸Ａｘ１に直交する第２照明光軸Ａｘ２上に配置されている。なお、光分離装置４５は、第１照明光軸Ａｘ１と第２照明光軸Ａｘ２との交差部分に配置される。
【００２５】
光源部４１は、それぞれ固体光源である複数のＬＤ（Laser Diode）４１１、及び、各ＬＤ４１１に応じた複数の平行化レンズ４１２を有し、アフォーカル光学系４２に向けて青色光である励起光を出射する。なお、本実施形態では、各ＬＤ４１１は、例えばピーク波長が４４０ｎｍの励起光を出射するが、ピーク波長が４４６ｎｍの励起光を出射するＬＤを採用してもよく、ピーク波長が４４０ｎｍ及び４４６ｎｍの励起光をそれぞれ出射するＬＤを混在させてもよい。これらＬＤ４１１から出射された励起光は、対応する平行化レンズ４１２により平行化されてアフォーカル光学系４２に入射される。なお、本実施形態では、各ＬＤ４１１から出射される励起光は、Ｓ偏光である。
アフォーカル光学系４２は、光源部４１から入射される励起光の光束径を調整する。このアフォーカル光学系４２は、レンズ４２１，４２２を備える。このアフォーカル光学系４２を通過した励起光は、ホモジナイザー光学系４３に入射される。
【００２６】
ホモジナイザー光学系４３は、後述する各ピックアップレンズ４７，４９と協同して、拡散装置４８及び波長変換装置５のそれぞれの被照明領域における励起光の照度分布を均一化する。このホモジナイザー光学系４３は、入射される励起光の中心軸に対する直交面内にそれぞれ複数の小レンズがマトリクス状に配列された一対のマルチレンズアレイ４３１，４３２を備える。このホモジナイザー光学系４３から出射された励起光は、第１位相差板４４に入射される。
第１位相差板４４は、１／２波長板である。この第１位相差板４４は、入射されたＳ偏光である励起光の一部をＰ偏光に変換し、Ｓ偏光とＰ偏光とが混在した励起光を出射する。これらＳ偏光及びＰ偏光を含む励起光は、光分離装置４５に入射される。
【００２７】
光分離装置４５は、プリズム型のＰＢＳ（Polarizing Beam Splitter）であり、それぞれ略三角柱状に形成されたプリズム４５１，４５２が斜辺に応じた界面にて貼り合わされ、これにより略直方体形状に形成されている。この界面は、第１照明光軸Ａｘ１及び第２照明光軸Ａｘ２のそれぞれに対して略４５°傾斜している。そして、光分離装置４５において第１位相差板４４側（すなわち光源部４１側）に位置するプリズム４５１の界面には、偏光分離層４５３が形成されている。
偏光分離層４５３は、波長選択性の偏光分離特性を有する。具体的に、偏光分離層４５３は、励起光に含まれるＳ偏光及びＰ偏光のうち、一方（本実施形態ではＳ偏光）を反射し、他方（本実施形態ではＰ偏光）を透過させて、これら偏光を分離する特性を有する。また、偏光分離層４５３は、波長変換装置５にて生じる蛍光（緑色光及び赤色光を含む光）を偏光状態にかかわらず透過させる特性を有する。
このような光分離装置４５により、本実施形態では、第１位相差板４４から入射された励起光のうち、Ｐ偏光は、第１照明光軸Ａｘ１に沿って第２位相差板４６側に透過され、Ｓ偏光は、第２照明光軸Ａｘ２に沿って第２ピックアップレンズ４９側に反射される。
【００２８】
第２位相差板４６は、１／４波長板であり、入射される光を通過させる過程にて、当該光の偏光方向を回転させる。このため、光分離装置４５から第２位相差板４６に入射されたＰ偏光である励起光（青色光）は、円偏光に変換されて第１ピックアップレンズ４７に入射される。
第１ピックアップレンズ４７は、第２位相差板４６から入射される励起光を拡散装置４８に集束させる。なお、本実施形態では、第１ピックアップレンズ４７は、例えば３つのレンズを有するレンズ群として構成されているが、レンズの数は問わない。
【００２９】
拡散装置４８は、後述する波長変換装置５にて生成及び反射される蛍光と同様に、入射される励起光を拡散反射させる。この拡散装置４８としては、入射光束をランバート反射させる反射部材を例示できる。
このような拡散装置４８にて拡散反射された励起光は、第１ピックアップレンズ４７を介して再び第２位相差板４６に入射される。この際、第２位相差板４６には、拡散装置４８にて反射されて偏光方向が逆となった円偏光である励起光が入射されるので、当該第２位相差板４６を通過する過程にて、当該励起光は、Ｓ偏光に変換される。そして、当該励起光は、偏光分離層４５３によって反射されて、均一化装置６に入射される。
【００３０】
第２ピックアップレンズ４９及び波長変換装置５は、上記のように、第２照明光軸Ａｘ２上に配置されている。
第２ピックアップレンズ４９には、第１位相差板４４から偏光分離層４５３を介してＳ偏光の励起光が入射される。この第２ピックアップレンズ４９は、当該励起光を、波長変換装置５に集束させる。なお、本実施形態では、第２ピックアップレンズ４９は、上記第１ピックアップレンズ４７と同様に、例えば３つのレンズを有するレンズ群として構成されているが、レンズの数は問わない。
【００３１】
波長変換装置５は、入射される励起光の波長を変換して蛍光を生じさせるものである。このような波長変換装置５により生じた蛍光は、第２ピックアップレンズ４９を介して偏光分離層４５３に入射される。この蛍光は、非偏光光であるが、上記のように偏光分離層４５３は波長選択性の偏光分離特性を有することから、当該蛍光は偏光分離層４５３を通過して、均一化装置６に入射される。
なお、波長変換装置５の構成については、後に詳述する。
【００３２】
このように、光源部４１から出射されて光分離装置４５に入射された励起光のうち、Ｐ偏光は、第２位相差板４６を通過して上記拡散装置４８によって拡散反射された後、再度第２位相差板４６を通過することによりＳ偏光に変換され、光分離装置４５によって均一化装置６側に反射される。
一方、光源部４１から出射されて光分離装置４５に入射された励起光のうち、Ｓ偏光は、波長変換装置５によって蛍光に波長変換された後、光分離装置４５を通過して均一化装置６側に出射される。
すなわち、励起光の一部である青色光と蛍光（緑色光及び赤色光が含まれる光）とは、光分離装置４５にて合成され、白色の照明光ＷＬとして均一化装置６に入射される。
【００３３】
［均一化装置の構成］
均一化装置６は、被照明領域である各光変調装置３４（３４Ｒ，３４Ｇ，３４Ｂ）に入射される光の中心軸に対する直交面内の照度を均一化する他、偏光方向を揃える機能を有する。この均一化装置６は、それぞれ第２照明光軸Ａｘ２上に配置される第１レンズアレイ６１、第２レンズアレイ６２、偏光変換素子６３及び重畳レンズ６４を備える。
第１レンズアレイ６１は、第２照明光軸Ａｘ２に直交する面内に第１レンズ６１１がマトリクス状に配列された構成を有し、入射される照明光ＷＬを複数の部分光束に分割する。
第２レンズアレイ６２は、同じく第２照明光軸Ａｘ２に直交する面内に、第１レンズ６１１に対応する第２レンズ６２１がマトリクス状に配列された構成を有する。この第２レンズアレイ６２は、各第１レンズ６１１により分割された複数の部分光束を、重畳レンズ６４とともに各光変調装置３４に重畳させる。
偏光変換素子６３は、第２レンズアレイ６２と重畳レンズ６４との間に配置され、上記複数の部分光束の偏光方向を揃える。この偏光変換素子６３によって偏光方向が揃えられた複数の部分光束により形成される照明光ＷＬは、重畳レンズ６４を介して、上記色分離装置３２に入射される。
【００３４】
［波長変換装置の構成］
波長変換装置５は、図２に示すように、筐体５１と、当該筐体５１内にそれぞれ配置される波長変換素子５２、スペーサー５３、回転装置５４及び放熱部材７と、を備える。
なお、以下の説明では、波長変換装置５に対する上記励起光の進行方向を＋Ｚ方向とし、＋Ｚ方向の反対方向を−Ｚ方向とする。
【００３５】
［筐体の構成］
筐体５１は、金属等の熱伝導性材料により形成され、少なくとも内部に塵埃が侵入しない密閉性を有する。この筐体５１の内部には、＋Ｚ方向に沿って、波長変換素子５２、放熱部材７、スペーサー５３、及び、回転装置５４が順に配置されている。
このような筐体５１は、上記励起光の入射側に位置する面に、第２ピックアップレンズ４９を構成する複数のレンズのうち、波長変換素子５２に最も近いレンズが嵌め込まれる開口部５１１が形成されている。
【００３６】
［波長変換素子の構成］
図３は、波長変換装置５の後述する筐体５１内に収容される各部品を示す斜視図であり、図４は、図３に示す上記各部品の分解斜視図である。
波長変換素子５２は、励起光の入射に応じて上記蛍光を生成及び出射する光学素子である。この波長変換素子５２は、図２〜図４に示すように、回転装置５４によって回転される基板５２１と、当該基板５２１に位置する蛍光体層５２２及び反射層５２３と、を有する。
【００３７】
基板５２１は、熱伝導性を有する材料によって形成されており、本実施形態では金属により形成されている。この基板５２１は、図３及び図４に示すように、−Ｚ方向側から見て略円形状に形成されている。
このような基板５２１は、図４に示すように、中心部に貫通口５２１Ａを有し、当該貫通口５２１Ａには、回転装置５４において−Ｚ方向側に位置する回転部５４１が挿通される。つまり、貫通口５２１Ａの開口径は、回転部５４１の外径と略一致する。そして、回転装置５４が駆動されると、基板５２１は、−Ｚ方向側から見て基板５２１（波長変換素子５２）の中心Ｃを通り、かつ、＋Ｚ方向に沿う回転軸ＲＡを中心としてＤ方向に回転される。
このように構成された基板５２１において、上記回転軸に直交する面のうち、−Ｚ方向側の面である第一面５２１Ｂには、図２に示すように、蛍光体層５２２及び反射層５２３が形成され、＋Ｚ方向側の面である第二面５２１Ｃには、放熱部材７が接着剤により固定される。なお、放熱部材７の構成については後に詳述する。
【００３８】
蛍光体層５２２は、入射された励起光により励起されて蛍光（例えば５００〜７００ｎｍの波長域の光）を出射する蛍光体を含む層であり、波長変換層ということもできる。この蛍光体層５２２に励起光が入射されて生じた蛍光のうち、一部は、上記第２ピックアップレンズ４９側に出射され、他の一部は、反射層５２３側に出射される。
反射層５２３は、蛍光体層５２２と基板５２１との間に配置され、当該蛍光体層５２２から入射される蛍光を第２ピックアップレンズ４９側に反射させる。
このように、波長変換素子５２にて生じた蛍光は、略全て第２ピックアップレンズ４９側に出射される。すなわち、本実施形態における波長変換素子５２は、蛍光を励起光の入射側に出射する反射型の波長変換素子である。
【００３９】
［スペーサーの構成］
スペーサー５３は、放熱部材７と回転装置５４との間に配置され、波長変換素子５２及び放熱部材７と回転装置５４との間の距離を調整する。スペーサー５３は、図４に示すように、回転装置５４の回転部５４１が挿通される貫通口５３１を有し、貫通口５３１の開口径は、貫通口５２１Ａと同様に、回転部５４１の外径と略一致する。
このように構成されたスペーサー５３は、Ｚ方向に沿って、貫通口５３１が貫通口５２１Ａと重なるように、後述する放熱部材７の伝熱部７１の＋Ｚ方向側の面に接着固定される。
【００４０】
［回転装置の構成］
回転装置５４は、図２に示すように、筐体５１に固定され、上記回転軸ＲＡを中心として、波長変換素子５２及び放熱部材７を回転させるものである。この回転装置５４は、モーター等により構成され、−Ｚ方向側に突出し、当該回転軸ＲＡを中心に回転する回転部５４１を有する。
回転部５４１は、貫通口５２１Ａ、貫通口５３１、及び、放熱部材７の貫通口７１１を挿通した状態で、接着剤により波長変換素子５２に固定される。
【００４１】
回転装置５４は、＋Ｚ方向側から見て、波長変換素子５２を反時計回りの方向であるＤ方向に回転させる。この波長変換素子５２の回転により、蛍光体層５２２において上記励起光が入射される位置が変更されることにより、当該蛍光体層５２２にて熱が生じる部位が分散され、当該蛍光体層５２２において局所的に高熱が生じることが抑制される。また、波長変換素子５２が回転されると、当該波長変換素子５２に取り付けられた放熱部材７もともに回転し、これにより、放熱部材７における冷却気体との熱交換が促進される。
【００４２】
［放熱部材の構成］
図５は、放熱部材７を＋Ｚ方向側から見た平面図である。
放熱部材７は、基板５２１の第二面５２１Ｃに設けられ、基板５２１に生じた熱を冷却気体へ放熱する。この放熱部材７は、アルミ等の熱伝導性を有する金属材料を用いて形成され、図３〜図５に示すように、伝熱部７１と、当該伝熱部７１に一体的に形成される複数のフィン７２と、を有する。このような放熱部材７は、例えば板状の金属材料を用いたプレス加工及び折曲加工によって製造される。
【００４３】
伝熱部７１は、上記第二面５２１Ｃに当接し、蛍光体層５２２にて生じた熱が反射層５２３及び基板５２１を介して伝導される。この伝熱部７１は、貫通口７１１を有する略円環状に形成され、当該貫通口７１１が貫通口５２１Ａと一致するように第二面５２１Ｃに接着剤を用いて接着される。
なお、本実施形態では、伝熱部７１は、接着剤によって基板５２１に密着するように固定されている。これにより、伝熱部７１は、基板５２１の熱が伝導可能に当該基板５２１に対して対向配置されている。つまり、伝熱部７１が基板５２１に当接するとは、伝熱部７１と基板５２１との少なくとも一部が直に当接することや、伝熱部７１が基板５２１に対して接着剤等を介して熱伝導可能な程度に十分に近接していることを意味する。
【００４４】
複数のフィン７２は、冷却気体と接触し、当該冷却気体との間で熱交換を行い、これにより、伝熱部７１を介して伝導された波長変換素子５２の熱を放熱する。これらフィン７２は、それぞれ略円環状の伝熱部７１の外周に沿って互いに所定間隔を隔てて設けられ、本実施形態では１２個設けられている。
このようなフィン７２は、伝熱部７１に接続される立設部７２１と、当該立設部７２１と接続されて立設部７２１を基板５２１に固定する固定部７２２と、を有する。すなわち、伝熱部７１と、立設部７２１と、固定部７２２とは、連続して形成されている。
【００４５】
立設部７２１は、伝熱部７１から＋Ｚ方向（つまり、基板５２１から離れる方向）に立設し、かつ、伝熱部７１の中心（回転軸ＲＡと略一致）から離れる方向に、当該伝熱部７１の周縁の位置から延出する。そして、当該立設部７２１は、回転軸ＲＡから離れるに従って、回転装置５４による基板５２１の回転方向（Ｄ方向）とは反対方向に反るように湾曲する円弧状に形成されている。すなわち、各フィン７２は、伝熱部７１の周縁から当該伝熱部７１の中心を基準とする放射状に延出しているのではなく、伝熱部７１の周縁に沿ってＤ方向とは反対方向に渦を巻く渦巻状に形成されている。
【００４６】
固定部７２２は、立設部７２１の伝熱部７１側とは反対側に位置し、当該反対側の端部が屈曲されて形成されている。この固定部７２２の−Ｚ方向側の面は、接着剤によって基板５２１（第二面５２１Ｃ）に固定されている。つまり、立設部７２１の一方の端部（中心側の端部）は伝熱部７１に、他方の端部（外周側の端部）は固定部７２２に支持されている。また、固定部７２２は、図２に示すように、基板５２１における、励起光の入射位置と＋Ｚ方向において重なる位置に固定されている。
【００４７】
上述のように構成された放熱部材７では、基板５２１の熱が、伝熱部７１及び固定部７２２を介して、各フィン７２の立設部７２１に伝導される。そして、立設部７２１が、回転装置５４によって波長変換素子５２及び放熱部材７が回転されてフィン７２間を流通する冷却気体との間で熱交換を行うことにより、放熱部材７、ひいては、基板５２１及び蛍光体層５２２が冷却される。
【００４８】
［第１実施形態の効果］
以上説明した本実施形態に係るプロジェクター１によれば、以下の効果を奏することができる。
放熱部材７は、上述のように、回転装置５４によって波長変換素子５２と共に回転されることにより、波長変換素子５２の基板５２１を冷却し、ひいては蛍光体層５２２を冷却することができる。この放熱部材７は、複数のフィン７２を有し、これら複数のフィン７２のそれぞれは、立設部７２１と、当該立設部７２１を基板５２１に固定する固定部７２２とを有し、各フィン７２は固定部７２２によって基板５２１に固定されている。このように、複数のフィン７２のそれぞれが、立設部７２１と固定部７２２とを含む簡易な構成を有するため、本実施形態のように、曲げ加工により立設部７２１と固定部７２２とを形成することができる。従って、例えば、切削加工によって基板に複数のフィンを形成する場合と比べて、製造コストの増大を抑制できる。
そして、放熱部材７を波長変換素子５２に固定することにより、波長変換素子５２の放熱構造を簡易に構成できる。
更に、このような放熱部材７が設けられた波長変換素子５２では、切削等によって複数のフィンを基板に形成した波長変換素子よりも軽量化も容易である。このため、回転装置５４の負荷を抑制することができ、例えば回転装置５４の長寿命化を図ることができる。
【００４９】
放熱部材７は、それぞれ立設部７２１及び固定部７２２を有する複数のフィン７２と、伝熱部７１とが一体的に構成されている。つまり、立設部７２１の一端は伝熱部７１に接続している。従って、放熱部材７を基板５２１に固定する際に、各フィン７２における、立設部７２１の固定部７２２とは反対側（伝熱部７１側）を基板５２１に個別に固定する作業を行う必要がなく、取付工程を簡略化できる。
また、伝熱部７１を有することにより、基板５２１の熱を放熱部材７に伝えやすくすることができ、波長変換素子５２の冷却効率を向上させることができる。
【００５０】
立設部７２１は、一方の端部が伝熱部７１に、他方の端部が固定部７２２によって接続され、基板５２１に固定されている。このため、各フィン７２を基板５２１に強固に固定できる。従って、波長変換素子５２が回転し、立設部７２１に空気抵抗による応力が加わった場合でも、立設部７２１の変形、すなわちフィン７２の変形を抑制できる。
また、固定部７２２は、図２に示すように、＋Ｚ方向において、基板５２１における励起光の入射位置と重なる位置に固定されている。これにより、励起光の入射によって基板５２１に生じた熱を、固定部７２２を介してフィン７２により効率良く伝導させることができる。
【００５１】
複数のフィン７２のそれぞれの立設部７２１は、基板５２１の中心Ｃを通る回転軸ＲＡから離れる（つまり中心Ｃから外側に向かう）に従って、当該基板５２１の回転方向（Ｄ方向）とは反対方向に反る形状を有する。これによれば、熱を帯びた冷却気体を基板５２１の中心Ｃから外側に向かって排出させやすくすることができる。
なお、冷却気体は、立設部７２１に沿って、基板５２１の回転方向（Ｄ方向）とは反対方向に流通する。従って、立設部７２１を冷却気体により確実に接触させることができるため、各フィン７２を冷却気体により効率良く冷却できる。従って、基板５２１、ひいては、波長変換素子５２をより効率良く冷却できる。
【００５２】
［第１実施形態の変形］
上記プロジェクター１では、図３に示したように、１２枚のフィン７２を有する放熱部材７を備えていた。しかしながら、フィン７２の数は、１２に限らず、複数あれば、フィン７２の数は問わない。
【００５３】
図６は、放熱部材７の変形である放熱部材７Ａを備える波長変換装置５の要部であり、筐体５１内に収容される各部品を示す斜視図である。
例えば、図６に示すように、放熱部材７Ａは、上記放熱部材７と同様に、伝熱部７１及び複数のフィン７２を有するが、当該放熱部材７Ａにおいては、１５枚のフィン７２を有する。このように、フィン７２の数を増大させることにより、冷却気体とフィン７２との接触面積を増大させることができ、冷却効率を向上させることができる。
【００５４】
なお、上記のように、放熱部材におけるフィン７２の数は、１２未満であってもよい。フィン７２の数を少なくすることにより、放熱部材の軽量化を図ることができ、回転装置５４に加わる負荷を低減できる。
一方、放熱部材７Ａが有するフィン７２の立設部７２１の＋Ｚ方向における寸法は、放熱部材７における同寸法より小さい。これは、フィン７２の枚数が増加して放熱部材７Ａの重量が放熱部材７に比べて増加したことによる回転装置５４に加わる負荷の増加を考慮したものである。しかしながら、回転装置５４に加わる負荷が大きくない場合には、放熱部材７Ａにおける立設部７２１の＋Ｚ方向における寸法を、より大きくしてもよい。
【００５５】
［第２実施形態］
次に、本発明の第２実施形態について説明する。
本実施形態に係るプロジェクターは、上記プロジェクター１と同様の構成を有するが、波長変換装置における放熱部材（特に立設部）の構成が異なる。なお、以下の説明では、既に説明した部分と同一又は略同一である部分については、同一の符号を付して説明を省略する。
【００５６】
図７は、本実施形態に係る放熱部材７Ｂを備える波長変換装置５の要部であり、筐体５１内に収容される各部品を示す斜視図である。図８は、本実施形態に係るプロジェクターが備える放熱部材７Ｂの一部を示す斜視図である。
本実施形態に係るプロジェクターは、放熱部材７に代えて放熱部材７Ｂが波長変換素子５２に取り付けられている他は、上記プロジェクター１と同様の構成及び機能を有する。
この放熱部材７Ｂは、図７及び図８に示すように、複数のフィン７２に代えて複数のフィン７２Ｂを有する他は、放熱部材７と同様の構成を有する。
【００５７】
複数のフィン７２Ｂは、上記複数のフィン７２と同様の機能を有するものであり、立設部７２１Ｂと固定部７２２とを有し、立設部７２１Ｂは、複数の屈曲部７２３を有する。なお、本実施形態では、屈曲部７２３は、立設部７２１Ｂの＋Ｚ方向側の端縁における中央から伝熱部７１側、及び、固定部７２２側のそれぞれの位置、並びに、−Ｚ方向側の端縁における略中央の位置に、計３つ設けられている。
それぞれの屈曲部７２３は、＋Ｚ方向（延出方向）に延出する立設部７２１Ｂに対して傾斜する方向に、立設部７２１Ｂの少なくとも一部が屈曲されて形成される。本実施形態では、屈曲部７２３は、回転軸ＲＡ側に屈曲している。
【００５８】
［第２実施形態の効果］
複数のフィン７２Ｂのそれぞれの立設部７２１Ｂは、立設部７２１Ｂに対して傾斜する方向に向かって屈曲する屈曲部７２３が複数設けられている。このため、波長変換素子５２が回転された際に、フィン７２Ｂに接触する冷却気体の量（接触量）を増大させることができ、波長変換素子５２からの熱が伝導されるフィン７２Ｂ、ひいては、当該波長変換素子５２を効率良く冷却できる。
【００５９】
また、複数のフィン７２Ｂが、回転軸ＲＡを囲むように伝熱部７１の外周に沿って配置されている。そして、複数の屈曲部７２３のそれぞれは、基板５２１の回転方向であるＤ方向とは反対方向に向かって、第一面５２１Ｂに沿って延出している。つまり、屈曲部７２３は、基板５２１の回転に応じてフィン７２Ｂ間を流通する冷却気体の流路に向かって屈曲している。従って、屈曲部７２３が設けられていない場合と比べて、フィン７２Ｂに接触する冷却気体の量を増やすことができ、冷却効率を向上させることができる。また、屈曲部７２３によって、フィン７２Ｂ間の距離、つまり冷却気体の流路を狭めることにより、冷却気体の流速を増大させることができ、冷却効率を向上させることができる。
【００６０】
［第３実施形態］
次に、本発明の第３実施形態について説明する。
本実施形態に係るプロジェクターは、上記プロジェクター１と同様の構成を有するが、波長変換装置における放熱部材（特に立設部）の構成が異なる。なお、以下の説明では、既に説明した部分と同一又は略同一である部分については、同一の符号を付して説明を省略する。
【００６１】
図９は、本実施形態に係るプロジェクターが備える放熱部材７Ｃの一部を示す斜視図である。
本実施形態に係るプロジェクターは、放熱部材７に代えて放熱部材７Ｃが波長変換素子５２に取り付けられている他は、上記プロジェクター１と同様の構成及び機能を有する。
放熱部材７Ｃは、図９に示すように、複数のフィン７２に代えて複数のフィン７２Ｃを有する他は、上記放熱部材７と同様の構成を有する。
複数のフィン７２Ｃは、立設部７２１Ｃと固定部７２２とを有する。
立設部７２１Ｃは、＋Ｚ方向側の端縁に、当該端縁に沿って形成された複数の凹部７２４を有する。すなわち、凹部７２４は、立設部７２１Ｃの伝熱部７１側から固定部７２２側に向かって、略所定間隔で複数形成されている。換言すると、立設部７２１Ｃの＋Ｚ方向側の端部には、複数の凹部及び凸部が形成されている。
【００６２】
［第３実施形態の効果］
立設部７２１Ｃは、複数の凹部７２４が形成されている。このような構成では、凹部７２４が形成されない場合と比べて、フィン７２Ｃの表面積を増大させることができる。従って、フィン７２Ｃと冷却気体との接触面積を増大させることができ、冷却効率を向上させることができる。また、凹部７２４を容易に形成することができ、簡易な構成で、冷却効率を向上させることができる。
【００６３】
［第４実施形態］
次に、本発明の第４実施形態について説明する。
本実施形態に係るプロジェクターは、上記プロジェクター１と同様の構成を有するが、波長変換装置における放熱部材の構成が異なる。なお、以下の説明では、既に説明した部分と同一又は略同一である部分については、同一の符号を付して説明を省略する。
【００６４】
図１０は、本実施形態に係る放熱部材７Ｄの一部を示す斜視図である。
本実施形態に係るプロジェクターは、放熱部材７に代えて放熱部材７Ｄが波長変換素子５２に取り付けられている他は、上記プロジェクター１と同様の構成及び機能を有する。
この放熱部材７Ｄは、図１０に示すように、複数のフィン７２に代えて複数のフィン７２Ｄを有する他は、上記放熱部材７と同様の構成を有する。
複数のフィン７２Ｄは、立設部７２１Ｄと固定部７２２とを有し、これらのうち立設部７２１Ｄは、複数の孔部７２５を有する。これら孔部７２５のそれぞれは、立設部７２１Ｃの厚み方向に、当該立設部７２１Ｃを貫通するように形成されている。
なお、図１０では、立設部７２１Ｄに６個の孔部７２５が形成された構成を例示したが、孔部７２５の数はこれに限らず、５個以下でもよく、７個以上でもよい。
【００６５】
［第４実施形態の効果］
立設部７２１Ｄは、複数の孔部７２５が形成されている。このような構成では、孔部７２５が形成されない場合と比べて、孔部７２５の端縁によりフィン７２Ｄの表面積を増大させることができる。従って、フィン７２Ｄと冷却気体との接触面積を増大させることができ、冷却効率を向上させることができる。また、孔部７２５を容易に形成することができ、簡易な構成で、冷却効率を向上させることができる。
【００６６】
［実施形態の変形］
本発明は、上記各実施形態に限定されるものではなく、本発明の目的を達成できる範囲での変形、改良等は本発明に含まれるものである。
放熱部材７は、伝熱部７１と、固定部７２２を含むフィン７２と、を有する構成を例示したが、これに限らない。例えば、放熱部材７は、複数のフィン７２を有し、各フィン７２が固定部７２２によって基板５２１に固定されている構成でもよい。すなわち、各フィン７２の一端を接続する伝熱部７１のような構成は、無くてもよい。このような構成でも、放熱部材７を簡易な構成とすることができる。なお、放熱部材７Ａ〜７Ｄにおいても同様である。
【００６７】
放熱部材７は、基板５２１の第二面５２１Ｃに配置されていたが、第一面５２１Ｂに配置されてもよい。なお、蛍光体層５２２が位置する第一面５２１Ｂとは反対側の第二面５２１Ｃに、放熱部材７が配置されることにより、放熱部材７の面積を大きくすることができ、冷却効率を向上させることができる。なお、放熱部材７Ａ〜７Ｄにおいても同様である。
また、放熱部材７，７Ａ〜７Ｄが取り付けられる波長変換素子５２は、反射型の波長変換素子として構成したが、生じた蛍光が励起光の入射側の面である第一面５２１Ｂとは反対側に位置する第二面５２１Ｃから出射される透過型の波長変換素子を採用してもよい。この場合においても、第一面５２１Ｂ及び第二面５２１Ｃの少なくともいずれかに、放熱部材７，７Ａ〜７Ｄの少なくともいずれかを配置可能である。
【００６８】
放熱部材７の各フィン７２では、立設部７２１は、伝熱部７１側から離れるに従って基板５２１の回転方向とは反対方向に反る円弧状に形成されるとしたが、本発明はこれに限らない。例えば、フィン７２は、伝熱部７１から直線状に延出していてもよい。換言すると、複数のフィン７２は、＋Ｚ方向側から見て渦巻状に形成されていたが、これに限らず、中心Ｃに対して放射状に形成されていてもよい。なお、放熱部材７Ａ〜７Ｄにおいても同様である。
【００６９】
放熱部材７では、フィン７２が有する立設部７２１及び固定部７２２は、プレス加工及び折り曲げ加工等によって一体的に形成されていたが、本発明はこれに限らない。例えば、立設部７２１及び固定部７２２は、ねじ留め、接着剤等による接着、並びに、ろう付け及びはんだ付け等による接合といった各種の方法により、互いに接続されてもよい。なお、立設部７２１及び固定部７２２が、一体的に形成されていることにより、立設部７２１と固定部７２２との間で熱が伝わりやすくなり、冷却効率を向上できる。なお、伝熱部７１についても同様であり、放熱部材７Ａ〜７Ｄにおいても同様である。
【００７０】
放熱部材７では、＋Ｚ方向から見た平面視において、固定部７２２は、基板５２１の励起光の入射位置と重なる位置に固定されていたが、本発明はこれに限らない。例えば、固定部７２２は、基板５２１の励起光の入射位置と重ならない位置に配置されていてもよく、伝熱部７１が基板５２１の励起光の入射位置と重なる位置に配置されてもよい。また、複数のフィン７２のうち、一部のフィン７２の固定部７２２のみが、当該入射位置と重なるように配置されていてもよい。また、立設部７２１に対して、固定部７２２が複数設けられていてもよい。なお、放熱部材７Ａ〜７Ｄにおいても同様である。
【００７１】
第２実施形態では、屈曲部７２３は、立設部７２１Ｂから回転軸ＲＡ側に向かうように屈曲している構成を例示したが、これに限らない。例えば、複数のフィン７２のうちの少なくとも一つのフィン７２が有する屈曲部７２３、或いは、１つのフィン７２のうちの少なくとも一つの屈曲部７２３が、立設部７２１Ｂの伝熱部７１側から基板５２１の外周側に向かうに従って、回転軸ＲＡとは反対側に向かって屈曲していてもよい。更に、一つのフィン７２が有する複数の屈曲部７２３のうち、少なくとも１つが回転軸ＲＡ側に傾斜し、他の少なくとも１つが回転軸ＲＡ側とは反対側に傾斜していてもよい。加えて、立設部７２１Ｂに対する屈曲部７２３の角度も、適宜設定してよく、例えば、屈曲部７２３の接線に対して直角に屈曲していてもよい。
【００７２】
また、上記第２実施形態では、一つの立設部７２１Ｂに複数の屈曲部７２３が設けられる構成を例示したが、これに限らず、一つの立設部７２１Ｂに一つの屈曲部７２３が設けられる構成でもよく、屈曲部７２３の数は制限されない。また、全ての立設部７２１Ｂに屈曲部７２３が設けられる構成に限らない。例えば、放熱部材は、上述の屈曲部７２３が設けられたフィン７２Ｂと、屈曲部７２３が設けられない第１実施形態のフィン７２と、を共に備えていてもよい。
【００７３】
第３実施形態では、凹部７２４が、立設部７２１Ｃの＋Ｚ方向側の端部に形成されていた。しかしながら、これに限らず、立設部７２１Ｃの−Ｚ方向側の端部に形成されていてもよく、両端部に形成されていてもよい。また、凹部７２４又は凸部が、立設部７２１Ｃの側面に形成されていてもよく、当該凸部は中実であってもよい。このような構成でも、フィン７２Ｃの表面積を増大させることができ、冷却気体との接触面積を増大させることができる。
【００７４】
上記第２〜第４実施形態では、放熱部材は、それぞれ屈曲部７２３、凹部７２４及び孔部７２５のいずれかを備えていたが、これに限らない。例えば、放熱部材は、屈曲部７２３及び凹部７２４の両方や、凹部７２４及び孔部７２５の両方や、屈曲部７２３、凹部７２４及び孔部７２５の全てを備えていてもよい。また、複数のフィンの全てにおいて、屈曲部７２３、凹部７２４及び孔部７２５のうちいずれが設けられているかが同一でなくてもよい。また、この場合、複数のフィンは、屈曲部７２３、凹部７２４及び孔部７２５のいずれも設けられていないフィンを含んでいてもよい。
【００７５】
波長変換装置５は、波長変換素子５２、スペーサー５３、回転装置５４、及び放熱部材７を内部に配置する筐体５１を有し、放熱部材７によって筐体５１の内部の冷却気体を循環させていた。しかしながら、これに限らず、例えば、筐体５１に接続され、冷却気体を筐体５１との間で循環させる空冷装置等を適宜配置してもよく、筐体５１内の冷却気体を循環するファン等の循環装置を設けてもよく、更には、筐体５１は無くてもよい。
【００７６】
プロジェクター１は、３つの光変調装置３４（３４Ｒ，３４Ｇ，３４Ｂ）を備えるとした。しかしながら、２つ以下、あるいは、４つ以上の光変調装置を有するプロジェクターにも、本発明を適用可能である。
また、光変調装置３４は、光束入射面と光束出射面とが異なる透過型の液晶パネルを用いていたが、光入射面と光出射面とが同一となる反射型の液晶パネルを用いてもよい。この他、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【００７７】
画像投射装置３は、図１及び図２に示した光学部品及び配置を有する構成を例示したが、これに限らず、他の構成及び配置を採用してもよい。
例えば、照明装置３１では、第１位相差板４４及び光分離装置４５により、光源部４１から出射された励起光の一部を分離し、当該一部の励起光を青色光として蛍光に合成して照明光ＷＬを生成していた。これに対し、光源部４１から出射された励起光の一部を分離して青色光として用いるのではなく、当該光源部４１に加えて、青色光を出射する別の光源部を採用してもよい。この場合、光源部４１から出射された励起光により生成される蛍光と、当該他の光源部から出射された青色光とを合成して照明光ＷＬを生成してもよく、当該蛍光から分離した緑色光ＬＧ及び赤色光ＬＲをそれぞれ光変調装置３４Ｇ，３４Ｒに入射させ、上記他の光源部から出射された青色光を光変調装置３４Ｂに入射させてもよい。更に、蛍光体層に含まれる蛍光体の密度や割合（青色蛍光体、緑色蛍光体、黄色蛍光体及び赤色蛍光体の含有比率）を調整する等して、青色光、緑色光及び赤色光を含む白色光が出射される波長変換素子を用いてもよい。
【００７８】
上記光源装置４は、プロジェクター１に適用されていた。この光源装置４を、例えば照明器具や自動車の光源装置に適用することも可能である。
また、上記光源装置４において、光学素子として蛍光体層５２２が基板５２１に配置された波長変換素子５２を例示したが、本発明はこれに限らない。例えば、上記拡散装置４８が、入射される光を拡散させる光学素子としての拡散素子と、当該拡散素子を回転させる回転装置と、を備える構成である場合には、当該拡散素子に上記放熱部材７，７Ａ，７Ｂ，７Ｃ，７Ｄを適用（固定）してもよい。この場合、当該放熱部材は、拡散素子における光入射側の面（第一面）に位置していてもよく、当該光入射側の面とは反対側の面（第二面）に位置していてもよい。
【符号の説明】
【００７９】
１…プロジェクター、３４（３４Ｂ，３４Ｇ，３４Ｒ）…光変調装置、３６…投射光学装置、４…光源装置、４１…光源部、５…波長変換装置、５２…波長変換素子（光学素子）、５２１Ｂ…第一面、５２１Ｃ…第二面、５４…回転装置、７，７Ａ，７Ｂ，７Ｃ，７Ｄ…放熱部材、７１…伝熱部、７２，７２Ｂ，７２Ｃ，７２Ｄ…フィン、７２１，７２１Ｂ，７２１Ｃ，７２１Ｄ…立設部、７２２…固定部、７２３…屈曲部、７２４…凹部、７２５…孔部、Ｄ…方向（回転方向）、ＲＡ…回転軸。
【図１】
2018004668.tif 000003
【図２】
2018004668.tif 000004
【図３】
2018004668.tif 000005
【図４】
2018004668.tif 000006
【図５】
2018004668.tif 000007
【図６】
2018004668.tif 000008
【図７】
2018004668.tif 000009
【図８】
2018004668.tif 000010
【図９】
2018004668.tif 000011
【図１０】
2018004668.tif 000012